(57)【要約】【課題】障子を閉めただけで施錠され、防犯性に優れた開口部装置を提供する。【解決手段】開口うぶ装置は、枠体１に設けられた障子２が軸を中心として回動することによって開閉する構造を有する。また、閉められた状態の障子２を開かないようにロックするロック装置１０が設けられている。ロック装置１０は、障子２がほぼ閉められたことを縦框２ｄに押されることで検知する検知部材２１を有する。ロック装置１０は、障子２の開放を縦框２ｄの被係止ピン２ｆを係止することで阻止する連動バー３０を有する。ロック装置１０は、障子２の開放を阻止するように連動バー３０を駆動するロックアーム１４を有する。ロック装置１０には、検知部材２１によって障子２がほぼ閉められたことが検知されると、それをロックアーム１４に伝達する回動板１９が設けられている。【選択図】図２
2009074320.tif 000002
【特許請求の範囲】
【請求項１】
枠体と、当該枠体に対して開閉動作する障子とを有し、閉められた状態の前記障子を開かないようにロックするロック装置が設けられている開口部装置であって、
前記ロック装置は、前記障子がほぼ閉められたことを検知する検知手段と、前記障子の開放を阻止する阻止手段と、前記障子の開放を阻止するように前記阻止手段を駆動する駆動手段と、前記検知手段によって前記障子がほぼ閉められたことが検知されたことを前記駆動手段に伝達する伝達手段とを備え、
前記駆動手段は、前記障子がほぼ閉められたことを前記検知手段が検知したことが前記伝達手段により伝達された場合に前記障子の開放を阻止するように前記阻止手段を駆動することを特徴とする開口部装置。
【請求項２】
前記ロック装置は、前記枠体側に設けられ、
前記阻止手段は、前記障子に設けられた被係止部に係止する係止部を備えるとともに、前記被係止部に前記係止部を係止して前記障子の開放を阻止する阻止状態と、前記被係止部への前記係止部の係止を解除して前記障子の開放を許容する阻止解除状態との間で移動可能に設けられ、
前記駆動手段は、前記障子がほぼ閉められたことを前記検知手段が検知したことが前記伝達手段により伝達された場合に、前記阻止手段を、前記阻止解除状態から前記阻止状態に移動させることを特徴とする請求項１に記載の開口部装置。
【発明の詳細な説明】
【技術分野】
【０００１】
本発明は、枠体と、当該枠体に対して開閉動作する障子とを有し、閉められた状態の前記障子を開かないようにロックするロック装置が設けられている開口部装置に関する。
【背景技術】
【０００２】
ビルなどの建物に多く設けられている滑り出し窓や開き窓等の開口部装置は、上枠、下枠、および左右の縦枠からなる枠体と、該枠体のいずれかの枠と平行な軸を中心に回動して室外側へ開くように開閉自在に設けられた障子とを備えている。
このような窓には、障子を閉めた際に施錠するためのロック装置が設けられている（例えば、特許文献１および特許文献２参照）。
【０００３】
【特許文献１】特許第３７７７４６０号公報
【特許文献２】特開２００５−１０５５６３号公報
【発明の開示】
【発明が解決しようとする課題】
【０００４】
このような従来のロック装置では、障子を閉めた後、さらに手動でレバーなどを操作して施錠しなければならないことから、施錠を忘れたり、障子を閉めただけの状態で施錠されていると思われるといったことで、施錠されない可能性があり、防犯上好ましくない。
【０００５】
本発明は、前記事情に鑑みて為されたもので、障子を閉めただけで施錠され、防犯性に優れた開口部装置を提供することを目的とする。
【課題を解決するための手段】
【０００６】
前記目的を達成するために、本発明の請求項１に記載の開口部装置は、枠体と、当該枠体に対して開閉動作する障子とを有し、閉められた状態の前記障子を開かないようにロックするロック装置が設けられている開口部装置であって、
前記ロック装置は、前記障子がほぼ閉められたことを検知する検知手段と、前記障子の開放を阻止する阻止手段と、前記障子の開放を阻止するように前記阻止手段を駆動する駆動手段と、前記検知手段によって前記障子がほぼ閉められたことが検知されたことを前記駆動手段に伝達する伝達手段とを備え、
前記駆動手段は、前記障子がほぼ閉められたことを前記検知手段が検知したことが前記伝達手段により伝達された場合に前記障子の開放を阻止するように前記阻止手段を駆動することを特徴とする。
【０００７】
ここで、本発明の開口部装置は、枠体に対して開閉動作する障子を有する開口部装置の全てに適用可能であるが、特に、障子が上下に動く上げ下げ窓や、障子が縦方向または横方向に斜めに、室内側もしくは室外側に傾く（回転する）ことにより開放される縦すべり窓、横すべり窓、内倒し窓、押し出し窓等に好適に用いられる。
また、検知手段としては、障子に接触することによって所定の動作を行い検知する機械的な検知手段であってもよいし、接触または非接触で検知し電気信号を送出する電気的な検知手段であってもよい。
また、伝達手段は、機械的に動作して伝達するように構成されていてもよいし、電気的な信号で伝達するものでもよい。
また阻止手段は、例えば、駆動手段としての各種バネやゴムなどの弾性変形により駆動力を発生する部材により駆動されるように構成されていてもよいし、駆動手段としての電動アクチュエータ等の電動装置で駆動されるように構成されていてもよい。阻止手段における障子の開放を阻止する具体的な構成としては、障子または障子に設けられた部材に対して係合あるいは当接するなどにより開放動作を阻止するものであればよい。
【０００８】
また、本発明の請求項２に記載の開口部装置は、請求項１に記載の発明において、
前記ロック装置は、前記枠体側に設けられ、
前記阻止手段は、前記障子に設けられた被係止部に係止する係止部を備えるとともに、前記被係止部に前記係止部を係止して前記障子の開放を阻止する阻止状態と、前記被係止部への前記係止部の係止を解除して前記障子の開放を許容する阻止解除状態との間で移動可能に設けられ、
前記駆動手段は、前記障子がほぼ閉められたことを前記検知手段が検知したことが前記伝達手段により伝達された場合に、前記阻止手段を、前記阻止解除状態から前記阻止状態に移動させることを特徴とする。
【０００９】
前記ロック装置は、例えば、障子が斜めに傾く（回転する）ことにより開閉する場合に、前記障子の回転の軸側の基端部の反対側となる開放端部側となる枠体の側部に形成される。また、被係止部は、例えば、前記障子の開放端部側に形成される。
【発明の効果】
【００１０】
本発明の請求項１に記載の開口部装置によれば、障子が開かないようにロックするロック装置には、障子がほぼ閉められたことを検知する検知手段と、障子の開放を阻止する阻止手段と、阻止手段を障子の開放を阻止するように駆動する駆動手段と、検知手段によって障子がほぼ閉められたことが検知されると、それを駆動手段に伝達する伝達手段が設けられているので、障子を閉めると検知手段によって検知され、これが伝達手段によって駆動手段に伝達され、駆動手段によって阻止手段が駆動され障子の開放が阻止される。したがって、障子を閉めることで自動的に阻止手段によって施錠され、防犯性に優れた開口部装置となる。
【００１１】
また、請求項２に記載の開口部装置によれば、阻止手段の係止部に係止される被係止部だけを障子側に設け、動作・駆動部分を有するロック装置は枠体側に設けられているので、手動で操作する場合に、動く障子ではなく、駆動手段が設けられた枠体側で操作が可能となり、操作性を向上することができる。また、ロック装置のメンテナンスも全て固定側となる枠体側で行なうことができ、回転移動してしまう障子側の作業を必要とせず、作業性が極めて良好となる。
また、駆動手段を電動装置としても、駆動手段が枠体側に固定されていることから容易に電力の供給が可能となる。
【発明を実施するための最良の形態】
【００１２】
以下、図面を参照して本発明の実施の形態について説明する。
図１は本実施の形態の開口部装置を室内側から見た正面図である。この開口部装置は、例えば、鉄筋コンクリート製の建物躯体に形成された開口部に取り付けられるものであり、枠体１とこの枠体１の内部に設けられた障子２とを備えている。枠体１は上枠１ａ、下枠１ｂおよび左右の縦枠１ｃ、１ｄから構成されている。
障子２は、上框２ａ、下框２ｂおよび左右の縦框２ｃ、２ｄとから構成されており、
その内側にはガラス板２ｅがはめ込まれている。
【００１３】
障子２は、縦枠１ｃの近傍に設けられて、該縦枠１ｃと平行な鉛直軸（図示略）を中心として回動することによって、室外側に開くようになっている。下枠１ｂには、障子２を開閉するための開閉機構３が設けられている。この開閉機構３には、オペレータタイプの開閉ハンドル３ａが取り付けられ、この開閉ハンドル３ａを、例えば時計方向に回すことで障子２を開け、反時計方向に回すことで閉めるように構成されている。
【００１４】
この開口部装置には、障子２が閉められた際に施錠（ロック）するロック装置１０が設けられている。以下、ロック装置１０の詳細について図２〜図１５を参照しながら説明する。なお、図３〜図１５において、縦框２ｄを上から見た平面図を共に図示している。また、図４〜図１５は縦枠１ｄ側からロック装置１０を見た側面図で、縦枠１ｄに設けられている連動バー３０は仮想線で示している。
ロック装置１０は、縦枠１ｄ（障子２の軸側の端部（縦框２ｃ）の反対側となる開放側の端部（縦框２ｄ）が接触する側となる枠体１の開放側の側部）に設けられたロック装置本体１１と、ロック装置本体１１と連動する連動バー３０とを備えている。
【００１５】
ロック装置本体１１は、図２に示すように、平坦な板材を所定形状に加工して形成された側板１１ｂと、側板１１ｂの周囲を囲むように取り付けられている側壁１１ｃとからなるケース１１ａに、各部材が配置されて構成されている。ケース１１ａの外側面には操作レバー１２が取り付けられ、ケース１１ａ内部には、回動板１９、ロックアーム１４およびロック解除板１５が収納され、ケース１１ａの右縁部には検知部材２１が設けられている。また、側壁１１ｃの下部には、サブレバー１３が設けられている。
なお、ケース１１ａの側板１１ｂに対向する面（紙面手前側）は、別の側板によって被われているが、図面上省略している。
ロック装置本体１１は、図１または図４などに示すように、図２の上下方向を縦枠１ｄの上下方向に合わせ、かつ、図２の左側を室内側に向けて右側を室外側に向けて、縦枠１ｄに固定されている。以下の説明では、図２の上下方向を上下、左右方向を左右と言うものとする。なお、図２は、障子２が開いているときのロック装置本体１１を示したもので、これを初期状態とする。
【００１６】
操作レバー１２は、ロック装置１０によるロックを解除する際に操作されるもので、細長い薄板状に形成されている。ケース１１ａのほぼ中央部には、回動軸２３が側板１１ｂを貫通した状態で取り付けられており、側板１１ｂの外側面から出ている回動軸２３の一端部に対して、前記操作レバー１２の一端が回動軸２３と共に回動可能に取り付けられている。操作レバー１２は、ロック装置１０の動作に伴って側板１１ｂの外側面に沿って所定範囲を回動するようになっている。
【００１７】
一方、回動軸２３のケース１１ａ内部にある他端部に対して、ロックアーム１４が、回動軸２３と共に回動可能に取り付けられている。したがって、操作レバー１２とロックアーム１４は、回動軸２３を介して一体に回動する。すなわち、図２の状態からロックアーム１４が時計方向に所定角度回動すると、操作レバー１２も共に時計方向に回動し、その先端が上位置にくるまで回動するようになっている（図９参照）。そして、この状態の操作レバー１２を反時計方向に回動させると、ロックアーム１４も共に反時計方向に回動し初期状態に戻るようになっている。
ロックアーム１４は、後述するように連動バー３０を駆動する駆動手段であり、回動軸２３を円中心とする半円形状に形成されている半円部１４ａと、この半円部１４ａからケース１１ａの外の室外側へ延出するアーム部１４ｈとから構成されている。
この半円部１４ａの周縁部は、半径の大きい円弧からなる第１周縁部１４ｂと、第１周縁部１４ｂよりも小さい半径の円弧からなる第２周縁部１４ｃとから構成され、第１周縁部１４ｂと第２周縁部１４ｃとの境には、段差１４ｄが形成されている。また、第１周縁部１４ｂの一端部には円弧を切り欠いた第１切欠部１４ｅが形成され、第２周縁部１４ｃの一端部には第２切欠部１４ｆが形成されている。
半円部１４ａの第２周縁部１４ｃの内側には、バネフック１４ｇが設けられ、バネ１８の一端が掛けられている
【００１８】
アーム部１４ｈは、先端に行くにしたがって幅が狭くなる平板状に形成され、内側には、連動バー３０に設けられた係合突起３１が係合する係合穴１４ｉが形成されている。係合穴１４ｉは、係合突起３１が係合穴１４ｉの内周面に沿って摺動しやすいように、角のない丸みのある略Ｌ字状に形成されている。すなわち、係合穴１４ｉは、アーム部１４ｈの長さ方向に長く形成された横長開口部１４ｊと、この横長開口部１４ｊに対してほぼ直交する方向に長く形成された縦長開口部１４ｋとから略Ｌ字状に構成されている。なお、前記ロック装置本体１１は、ロックアーム１４の係合穴１４ｉが係合突起３１の正面に位置するように縦枠１ｄに固定されている。
【００１９】
検知部材（検知手段）２１は、横長の主板２１ａと、主板２１ａの先端に設けられ、ゴムなどの弾性部材に被われている弾性部２１ｃとを有する。
主板２１ａは、図２においてアーム部１４ｈ（先端部）よりも紙面奥に、つまりより障子２側に設けられており、アーム部１４ｈと互いに干渉しないようになっている。なお、アーム部１４ｈは半円部１４ａに対して紙面手前側に配置されている。なお、半円部１４ａから延出するアーム部１４ｈの基端部と、基端部より先端側となるアーム部１４ｈの主部（先端部）との間がクランク状に屈曲されて、半円部１４ａに対してアーム部１４ｈの主部が紙面手前側に配置されている。
【００２０】
主板２１ａの中央には、長さ方向に沿って長穴２１ｂが形成されている。この長穴２１ｂに対してガイドピン２４が挿通している。ガイドピン２４は、その基端部がケース１１ａに対して固定されている。また、ガイドピン２４は、主板２１ａに対して、ナットやピンの頭部とワッシャーなどにより抜けないように接続されている。ガイドピン２４は長穴２１ｂに対して相対的に摺動可能となっており、かつ、主板２１ａはガイドピン２４の回りを回転可能となっている。これにより、検知部材２１は、長穴２１ｂとガイドピン２４にガイドされながら移動および回転可能になっている。
【００２１】
弾性部２１ｃは、主板２１ａの先端から障子２側に折れ曲がり、側板１１ｂを外面側に至る長さの略矩形状に形成されている（図３参照）。その室外を向いた面に、障子２の縦框２ｄの室内側を向く面が当接し、縦框２ｄによって弾性部２１ｃが押され、検知部材２１がケース１１ａ内に押し込まれるように左方に移動するようになっている。そして、この検知部材２１の移動により、回動板１９等の動作が開始するようになっている。すなわち、検知部材２１は、縦框２ｄによって弾性部２１ｃが押圧されることで障子２がほぼ閉められたことを検知するようになっている。
主板２１ａの先端部２１ｅは、主板２１ａよりも細く矩形状に形成され、その右側（先端より基端となる主板２１ａ側）には三角形状に上方に突出する三角片２１ｄが形成され、先端部２１ｅと三角片２１ｄによりＬ字形状に欠かれた段が形成されている。この段に回動板１９の爪部１９ａが入り、爪部１９ａの右側面に三角片２１ｄの左側面が当接可能となっている。また、先端部２１ｅの上面２１ｆと三角片２１ｄの上面２１ｇのそれぞれに対して、爪部１９ａの下端が摺接可能になっている。
先端部２１ｅの下部にはバネフック２１ｈが設けられ、バネ２２の一端部が掛けられている。一方、主板２１ａの上方において、ケース１１ａにフック板２６が取り付けられ、このフック板２６にバネフック２６ａが設けられている。前記バネ２２の他端部は、バネフック２６ａに掛けられている。したがって、検知部材２１は、バネ２２により、ガイドピン２４を中心に時計方向に回動する方向であって、ケース１１ａから押し出される方向に付勢されている。
【００２２】
回動板１９は、検知部材２１とロックアーム１４の半円部１４ａとの双方と係合し、検知部材２１の検知動作を受けて、ロックアーム１４に伝達する伝達手段であり、ピン２０回りに回動可能に取り付けられている。回動板１９の中央には、下端に鋭角の爪を有する爪部１９ａが設けられている。
爪部１９ａは、前述のように、検知部材２１の先端部２１ｅの上面２１ｆと、三角片２１ｄの上面２１ｇに摺接可能であり、回動板１９の回動および検知部材２１の移動にともなって上面２１ｆと上面２１ｇとを行き来するようになっている。
回動板１９の左部は先端に向かって細長くなるように形成され、この先端にはバネフック１９ｄが設けられ、前記バネ１８の上端部が掛けられている。バネ１８は、ロックアーム１４と回動板１９とを、バネフック１４ｇ、１９ｄ間の距離が近くなる方向に付勢している。そして、回動板１９とロックアーム１４は、バネ１８の付勢力により当接し、ロックアーム１４の回動位置に応じて、回動板１９の下端部１９ｂがロックアーム１４の第１切欠部１４ｅに係合するか、下端部１９ｂの角部１９ｃがロックアーム１４の第１周縁部１４ｂに摺接するようになっている。
【００２３】
側壁１１ｃの室内側に向いている下部は、断面が円弧形状に形成されている。その円弧の中央には、大きな開口１１ｅが形成され、端にはケース１１ａ内に落ち込むような形状のくぼみ部１１ｆが形成されている。
この開口１１ｅの外側にサブレバー１３が設けられ、内側に、ロック解除板１５が設けられている。
サブレバー１３は、前述の操作レバー１２によるロックの解除の際に、操作レバー１２を操作可能とするためもので、室内側から見ると縦長の長方形に形成され、側壁１１ｃに接する側には、側壁１１ｃの形状に沿うように断面が円弧形状の凹面１３ａが形成されている。
ロック解除板１５は、ほぼ円板状に形成され、その中心部分において、ピン１６の回りに回動可能に取り付けられている。ロック解除板１５の左部には、直径方向外方に向かって平板状の連結部１５ａが形成され、サブレバー１３の前記凹面１３ａに接続されている。これにより、サブレバー１３は、ロック解除板１５の回動と共に上下動し、一方サブレバー１３が上下動するとロック解除板１５が回動するようになっている。
連結部１５ａには、側壁１１ｃの内側において、側壁１１ｃの円弧形状に沿うように湾曲した板状の湾曲部材２５が取り付けられている。この湾曲部材２５の外周面とサブレバー１３の凹面１３ａとにより側壁１１ｃを挟んだ状態で、側壁１１ｃに沿って摺動可能となっている。これにより、サブレバー１３とロック解除板１５はそれぞれ、滑らかに円弧に沿った上下動（一体に回転）するようになっている。
【００２４】
ロック解除板１５の上部には、直径方向外方に延出する延出部１５ｂが形成されている。
また、ロック解除板１５の連結部１５ａと延出部１５ｂとの間には、バネフック１５ｄが設けられ、このバネフック１５ｄにバネ１７の一端部が掛けられている。バネ１７の他端部は、ケース１１ａに取り付けられているフック板２７のバネフック２７ａに掛けられている。このバネ１７によりロック解除板１５は、時計方向に回動するように付勢され、延出部１５ｂがロックアーム１４に当接する位置まで回動し、ロックアーム１４の回動位置に応じて、延出部１５ｂが第２切欠部１４ｆに係合するか、延出部１５ｂの角部１５ｃが第２周縁部１４ｃに摺接するようになっている。
【００２５】
ロックを解除する際には、第２切欠部１４ｆへの延出部１５ｂによる係合を、サブレバー１３を操作して外し、それにより、ロックアーム１４と共に操作レバー１２を操作できるようになっている。
さらに、ロック解除板１５の円板面には、平板状に形成された戻し板１５ｅが設けられている。
【００２６】
ここで、ロック解除板１５のバネフック１５ｄと、ケース１１ａのフック板２７のバネフック２７ａとを結ぶ線分の配置位置、すなわち、これらバネフック１５ｄとバネフック２７ａに両端を掛けられるバネ１７の配置位置は、サブレバー１３を操作する前の段階で、サブレバー１３およびロック解除板１５が操作レバー１２を施錠側から解錠側に操作することを不可とする操作不可位置にある場合に、サブレバー１３およびロック解除板１５の回転中心より上側にあり、サブレバー１３およびロック解除板１５を操作前の操作不可位置側に付勢している。この状態で、サブレバー１３を操作レバー１２の施錠側から解錠側への操作を可能とする操作可能位置側に向けて僅かに操作してから手を離した場合に、サブレバー１３およびロック解除板１５は、バネ１７の付勢力により操作前の操作不可位置側に戻る。
【００２７】
そして、サブレバー１３を完全に操作可能位置となるまで操作すると、バネフック１５ｄとバネフック２７ａとを結ぶ線分の配置位置、すなわち、バネ１７の配置位置がサブレバー１３およびロック解除板１５の回転中心を通る位置を越えて回転中心の下側となる。
なお、バネ１７が前記回転中心と重なる位置が、バネ１７の中立位置となり、この中立位置にバネ１７が配置されると、バネ１７は、サブレバー１３およびロック解除板１５を操作不可位置側、操作可能位置側のどらにも付勢しない状態となり、外力を受けない限りサブレバー１３およびロック解除板１５が回転せずに止まった状態となる。
そして、バネ１７が前記回転中心の下側に至ると、バネ１７は、サブレバー１３およびロック解除板１５を操作可能位置側に付勢する状態となる。
したがって、サブレバー１３を操作可能位置まで操作すると、サブレバー１３およびロック解除板１５は、操作不可位置に戻されることなく、操作可能位置側で停止した状態となる。
【００２８】
これにより、サブレバー１２を操作可能位置まで操作すれば、サブレバー１２から指を離した状態でも、サブレバー１２が戻ることなく、操作レバー１２の操作が可能な状態が保持される。この状態で、操作レバー１２を施錠側から解錠側に操作すると、操作レバー１２と一体のロックアーム１４が回転し、施錠状態から解錠状態となるが、この際にロックアーム１４のバネフック１４ｇが回転移動の途中で戻し板１５ｅに接触し、ロック解除板１５およびサブレバー１３を戻し板１５ｅを介して前記バネ１の中立位置より操作不可位置側（上側）に押し戻すことになる。これによりサブレバー１３およびロック解除板１５は操作不可位置側にバネ１７で付勢された状態となり、操作レバー１２が解錠位置から施錠位置に戻された際に、操作レバー１２と一体に回転するロックアーム１４を施錠位置で操作ができない状態に維持する操作不可位置に戻ることになる
【００２９】
連動バー（阻止手段）３０は、図３〜図１５に示すように、長い平板状に形成され、縦枠１ｄの縦框２ｄに向かう面に上下方向に摺動可能な状態で取り付けられている。連動バー３０の下端部には、係合突起３１が設けられ、ロックアーム１４の係合穴１４ｉに係合した状態になっている。これにより、連動バー３０は、ロックアーム１４の回動によってアーム部１４ｈが上下動すると、係合穴１４ｉに係合している係合突起３１が押し上げられまたは引き下げられて、上下動するようになっている。
連動バー３０には、連動バー３０と同じ幅を有する平板状の付座３２がビス３３、３３により固定されている。この付座３２には、室外方向に向かって張り出す張り出し部３２ａが形成され、この張り出し部３２ａに障子２に向かうように取付板３４が立設されている。この取付板３４の先端面に係止板（係止部）３５が取り付けられている。
一方、障子２の縦框２ｄ（前記障子の前記軸側の端部（縦框２ｃ）の反対側となる開放側の端部）の側面には、縦枠１ｄに向かうように（図１の右方向）被係止ピン（被係止部）２ｆが突出するように取り付けられている。この被係止ピン２ｆが、係止板３５そばの室内側のエリア（係止エリア３６とする）に入ると係止板３５に係止され、つまり連動バー３０により障子２の開放が阻止され、ロックされるようになっている。
【００３０】
上記のような開口部装置においては、開放状態の障子２が閉まる時に以下のようにロック装置１０によって障子２がロックされる。
前記開閉ハンドル３ａを回して障子２が徐々に閉められると、図３および図４に示すように、縦枠１ｄに縦框２ｄが重なり始める。このとき、初期状態にあるロック装置本体１１の検知部材２１の弾性部２１ｃに、縦框２ｄの室内側の面が当接する。縦框２ｄの被係止ピン２ｆは、連動バー３０の係止板３５に近づく。また、このとき検知部材２１の先端部２１ｅの上面２１ｆに、回動板１９の爪部１９ａの先端が摺接した状態である。
さらに障子２が閉まると、縦框２ｄによって弾性部２１ｃが押され、検知部材２１はケース１１ａ内に押し込まれるように移動する（図５）。この検知部材２１の移動によって、三角片２１ｄの左側面が爪部１９ａの右側面に突き当たって、回動板１９が時計方向に回動し、その下端部１９ｂがロックアーム１４の第１切欠部１４ｅから離れ、下端部１９ｂの角部１９ｃが、ロックアーム１４の第１周縁部１４ｂに摺接した状態となる。
回動板１９による係合が外れたロックアーム１４は、図６に示すように、バネ１８の付勢力により時計方向に回動する。これにより、操作レバー１２も時計方向に回動する。また、ロックアーム１４が時計方向へ回動すると、係合穴１４ｉに係合している係合突起３１が引き下げられて、連動バー３０全体が下降する。これにより、係止エリア３６の入り口に、被係止ピン２ｆが係り始める。
【００３１】
障子２を閉め続けると、さらに検知部材２１は移動し、回動板１９も三角片２１ｄに押されて時計方向に回動していくと、爪部１９ａは三角片２１ｄよりも上昇し、図７に示すように、爪部１９ａの先端が三角片２１ｄの頂点に達し、回動板１９の下端部１９ｂは、ロックアーム１４から離れる。このとき、バネ１８はその付勢力に抗して最も伸ばされる。
そして、図８に示すように、障子２を完全に閉めると、検知部材２１がさらに左方に移動し、爪部１９ａが三角片２１ｄの頂点を乗り越え上面２１ｇに摺接するようになると、バネ１８の付勢力により、回動板１９とロックアーム１４はそれぞれ、回動板１９の角部１９ｃがロックアーム１４の第１周縁部１４ｂに摺接するまで、反時計方向および時計方向に回動する。これにより、係合突起３１が係合穴１４ｉ内を横長開口部１４ｊから縦長開口部１４ｋに移動しつつ、アーム部１４ｈおよび連動バー３０が下降し、被係止ピン２ｆが係止エリア３６にさらに入っていく。
バネ１８の付勢力によりロックアーム１４が、時計方向に回動し続けると共に、操作レバー１２の先端がロック装置本体１１の上方に達する（図９）。そして、ロックアーム１４の第２周縁部１４ｃに対して延出部１５ｂが摺接したままの状態であったロック解除板１５が、バネ１７の付勢力により時計方向に回動しながら第２切欠部１４ｆに係合したところで、ロックアーム１４の回動は止まる。連動バー３０の下降も止まり、被係止ピン２ｆは連動バー３０によって完全に係止され、障子２はロック（施錠）され開放できなくなる（阻止状態）。
なお、ロック解除板１５の回動に伴い、サブレバー１３は、その凹面１３ａの上縁部が側壁１１ｃのくぼみ部１１ｆに落ち込む位置まで上昇する。
【００３２】
上記のように障子２が閉められ、施錠された開口部装置において、以下のようにロックが解除され、障子２が開けられる。
まず、図１０に示すように、サブレバー１３を押し下げるように操作すると、バネ１７の付勢力に抗してロック解除板１５が反時計方向に回動し、ロック解除板１５による係合が外れてロックアーム１４は回動可能な状態になる。
次いで、図１１に示すように、サブレバー１３を押し下げたまま、操作レバー１２を操作し反時計方向に回すと、ロックアーム１４も共に反時計方向に回動する。これにより、連動バー３０の係合突起３１は、係合穴１４ｉ内を縦長開口部１４ｋから横長開口部１４ｊに移動しながら、押し上げられ、連動バー３０が上昇し始め、縦框２ｄの被係止ピン２ｆは、係止エリア３６の下方に相対的に移動する。
操作レバー１２をさらに下げることで、ロックアーム１４は、反時計方向に回動し、連動バー３０は上昇し、被係止ピン２ｆは係止エリア３６から外れ、ロックが解除され、障子２は開放可能となる（阻止解除状態）。なお、この時点で開閉機構３を操作しなければ障子２は開放されない。
【００３３】
図１０〜１２の動作中、回動板１９の角部１９ｃはロックアーム１４の第１周縁部１４ｂに摺接した状態であるが、第１周縁部１４ｂの端に達すると、図１３に示すように、回動板１９は、バネ１８の付勢力により、下端部１９ｂがロックアーム１４の第１切欠部１４ｅに係合しながら、反時計方向に回動する。これにより、ロックアーム１４および操作レバー１２は回動できなくなる。
開閉ハンドル３ａを操作すると、図１４に示すように障子２が開き始め、縦框２ｄが外に向かうと、縦框２ｄによって押し込まれていた検知部材２１は、バネ２２の付勢力によりケース１１ａの外に押し出されていく。このとき、回動板１９の爪部１９ａの先端は、検知部材２１の三角片２１ｄの上面２１ｇに摺接し、やがて三角片２１ｄの頂点に達する。そして、爪部１９ａが三角片２１ｄの頂点を乗り越えると、図１５に示すように検知部材２１はバネ２２の付勢力により少し時計方向に回動し、爪部１９ａが先端部２１ｅの上面２１ｆに摺接する状態となる。
【００３４】
以上のように、本実施の形態の開口部装置においては、ロック装置１０が設けられ、ロック装置１０には、障子２がほぼ閉められたことを縦框２ｄに押されることで検知する検知部材２１と、障子２の開放を阻止する連動バー３０と、障子２の開放を阻止するように連動バー３０を駆動するロックアーム１４と、検知部材２１によって障子２がほぼ閉められたことが検知されると、それをロックアーム１４に伝達する回動板１９が設けられているので、障子２を閉めると検知部材２１によって検知され、これが回動板１９からロックアーム１４に伝達されて、ロックアーム１４によって連動バー３０が駆動され障子２の開放が阻止される。したがって、障子２の動きを検知して、障子２が閉まるまでの一連の動作の中で自動的に施錠され、防犯性に優れた開口部装置となる。
また、枠体１の縦枠１ｄに対して障子２の縦框２ｄが係止された状態で閉められているので、耐風圧も強化される。
【００３５】
なお、本実施の形態では、バネの付勢力を利用して各部材を所定角度回動させてロックするように構成したが、これに限ることはなく、その他の機械要素を組み合わせてもよいし、ロック装置を構成する部材を電気的に駆動・制御する構成としてもよい。
この場合に、例えば、障子が閉じたことを検知する検知手段として、障子に接触して障子が閉まっていることを検知する機械的なセンサや、光で障子が閉まったことを検知する光学センサ等を用いることができる。駆動手段は、電動やエアーによる各種アクチュエータ等の駆動源を使用することができるが、停電時にロックを維持できる構成で、かつ、手動で解錠可能となっていることが好ましく、例えば、電動アクチュエータの一回の往復動作（電源のオンオフによる動作）によりロック状態となり、ロックの解錠はこの例のように手動で行なう構成となっていてもよい。伝達手段は、センサとアクチュエータ（駆動回路）との間に設けられた信号線や制御回路等である。
また、ロック装置を、枠体１の縦枠１ｄ（縦枠１ｃ）ではなく、上枠１ａや下枠１ｂに設けてもよい。
さらに、上記ではオペレータタイプの開閉機構を有する開口部装置であったが、カムラッチタイプの開閉機構を有する開口部装置に本発明のロック装置を組み合わせてもよい。カムラッチタイプの場合、開閉ハンドルを閉めることで障子は開かなくなるが、本発明のロック装置により二重にロックされ、さらに防犯性は向上する。
加えて、本実施の形態では、本発明を鉛直軸回りに回転して開く開き窓に適用した場合を例にとって説明したが、本発明を、枠と障子で構成し、障子が左右や上下に動いたり、障子が突き出す窓等に適用してもよい。
【図面の簡単な説明】
【００３６】
【図１】本発明に係る開口部装置の一例を示すもので、開口部装置の室内側からの正面図である。
【図２】同、開口部装置に設けられるロック装置本体を示す斜視図である。
【図３】同、ロック装置を示す室外側からの背面図である。
【図４】同、障子が閉まる際のロック装置の動作のうちの障子がほぼ閉じられ検知部材と接触した状態を示す側面図である。
【図５】同、障子が閉まる際のロック装置の動作のうちの検知部材が移動し始めた状態を示す側面図である。
【図６】同、障子が閉まる際のロック装置の動作のうちの連動バーが下降し始めた状態を示し側面図である。
【図７】同、障子が閉まる際のロック装置の動作のうちの連動バーの係止エリアに被係止ピンが入りつつある状態を示す側面図である。
【図８】同、障子が閉まる際のロック装置の動作のうちの連動バーの係止エリアに被係止ピンが入りつつある状態を示す側面図である。
【図９】同、障子が閉まる際のロック装置の動作のうちのロックが完了した状態を示す側面図である。
【図１０】同、障子が開く際のロック装置の動作のうちのサブレバーを操作した状態を示す側面図である。
【図１１】同、障子が開く際のロック装置の動作のうちの操作レバーを操作し連動バーが上昇し始めた状態を示す側面図である。
【図１２】同、障子が開く際のロック装置の動作のうちのサブレバーが元に戻りロックが開放された状態を示す側面図である。
【図１３】同、障子が開く際のロック装置の動作のうちの障子の開放に伴い、ロック装置本体が初期状態に戻る様子を示す側面図である。
【図１４】同、障子が開く際のロック装置の動作のうちの障子の開放に伴い、ロック装置本体が初期状態に戻る様子を示す側面図である。
【図１５】同、障子が開く際のロック装置の動作のうちの障子の開放に伴い、ロック装置本体が初期状態に戻る様子を示す側面図である。
【符号の説明】
【００３７】
１  枠体
２  障子
２ｄ  縦枠
２ｆ  被係止ピン
１０  ロック装置
１１  ロック装置本体
１２  操作レバー
１３  サブレバー
１４  ロックアーム
１５  ロック解除板
１７、１８、２２  バネ
１９  回動板
３０  連動バー
３１  係合突起
３５  係止板
３６  係止エリア
【図１】
2009074320.tif 000003
【図２】
2009074320.tif 000004
【図３】
2009074320.tif 000005
【図４】
2009074320.tif 000006
【図５】
2009074320.tif 000007
【図６】
2009074320.tif 000008
【図７】
2009074320.tif 000009
【図８】
2009074320.tif 000010
【図９】
2009074320.tif 000011
【図１０】
2009074320.tif 000012
【図１１】
2009074320.tif 000013
【図１２】
2009074320.tif 000014
【図１３】
2009074320.tif 000015
【図１４】
2009074320.tif 000016
【図１５】
2009074320.tif 000017